(57)【要約】【課題】ワイピングローラに対するドクターブレードの交換作業を効率的に実行できるようにする。【解決手段】回転可能に支持され凹版胴2の凹版2Aに当接して当該凹版2Aの余剰インキを取り除くワイピングローラ5と、ワイピングローラ5の周面に先端が対接されるドクタブレード23を有し、ワイピングローラ5に対して接近離反する方向へ機台に移動自在に支持されたブレード支持部材31と、ドクターブレード23のワイピングローラ5に対する位置を調整する位置調整装置52L,52Rと、ドクターブレード23を保持しブレード支持部材31に対して着脱可能に取り付けられるブレードホルダ21と、ブレード支持部材31の位置を検出する検出装置とを備え、検出装置は、ブレード支持部材31または機台の一方に設けられた被検出部42L,42Rと、ブレード支持部材31または機台の他方に設けられ、被検出部42L,42Rの位置を検出するセンサ41L,41Rを有するようにする。【選択図】  図１
2013063647.tif 000002
【特許請求の範囲】
【請求項１】
回転可能に支持され凹版胴の凹版に当接して当該凹版の余剰インキを取り除くワイピングローラと、
前記ワイピングローラの周面に先端が対接されるドクタブレードを有し、前記ワイピングローラに対して接近離反する方向へ機台に移動自在に支持されたブレード支持部材と、
前記ドクターブレードの前記ワイピングローラに対する位置を調整する位置調整装置と
を備えた凹版印刷機のワイピング装置において、
前記ドクターブレードを保持し、前記ブレード支持部材に対して着脱可能に取り付けられるブレードホルダと、
前記ブレード支持部材の位置を検出する検出装置とを備え、
前記検出装置は、
前記ブレード支持部材または前記機台の一方に設けられた被検出部と、
前記ブレード支持部材または前記機台の他方に設けられ、前記被検出部の位置を検出するセンサを有する
ことを特徴とする凹版印刷機のワイピング装置。
【請求項２】
前記検出装置の前記センサは、前記被検出部と当接する接触子を有して前記被検出部との間の距離を計測する接触型センサである
ことを特徴とする請求項１記載の凹版印刷機のワイピング装置。
【請求項３】
前記被検出部及び前記センサは、前記ドクターブレードの左右両側に設けられている
ことを特徴とする請求項２に記載の凹版印刷機のワイピング装置。
【発明の詳細な説明】
【技術分野】
【０００１】
本発明は、凹版印刷機のワイピング装置に関するものであり、特に、凹版印刷機における凹版胴の凹版面に供給されたインキのうち、画線以外の箇所に付着した余分なインキ（以下、これを余剰インキと呼ぶ。）を拭き取るワイピング装置に関する。
【背景技術】
【０００２】
従来、凹版印刷機による印刷作業は、インキ装置によって凹版胴上に装着された凹版面にインキを転移させ、この転移されたインキのうちの画線部分以外の箇所に付着した余剰インキをワイピング装置により除去した後、凹版胴と圧胴との間を通過するシートに対して、凹版面に残された画線部分のインキを転移させることにより印刷を施すようになされている。
【０００３】
その際、ワイピング装置は、凹版胴の凹版面と対接した状態で回転し、凹版面上の余剰インキを拭き取るワイピングローラと、このワイピングローラ上に付着したインキを洗浄するブラシやブレード等のワイピングローラ洗浄部材と、ワイピング液を溜める液槽とが設けられている。
【０００４】
ワイピング装置においては、ワイピングローラを洗浄する際、ワイピングローラ洗浄部材とともにワイピング液が使用され、ワイピング液によるインキの溶解作用とワイピングローラ洗浄部材による拭取作用又は掻取作用とによってワイピングローラを洗浄するようになされている。
【０００５】
またワイピング装置では、ワイピングローラをワイピング液により洗浄した際、ワイピングローラの周面に付着して連れ回るワイピング液をドクターブレードにより掻き取ることにより、当該ワイピング液が凹版胴の凹版面に付着することを防止するようになされている（例えば、特許文献１参照）。
【先行技術文献】
【特許文献】
【０００６】
【特許文献１】特開平９−６６５９６号公報
【発明の概要】
【発明が解決しようとする課題】
【０００７】
ところで上述した凹版印刷機のワイピング装置においては、ドクターブレードを交換する際、機台に移動自在に支持されドクターブレードが取り付けられているドクタを当該機台に対して着脱させるため、ドクタの着脱前後でドクターブレードのワイピングローラに対する接触圧が変化してしまい、所望の接触圧に戻すために準備時間かかったり、大型かつ重量物であるドクタの着脱作業は作業者の負担になるという問題があった。また、当該ドクターブレードのワイピングローラへの接触圧を調整する際、ドクターブレードの位置を表した目盛りを見ながら行っており、非常に効率が悪いという問題があった。
【０００８】
本発明はかかる問題を解決するためになされたものであり、ワイピングローラに対するドクターブレードの交換作業を効率的に実行し得る凹版印刷機のワイピング装置を提案しようとするものである。
【課題を解決するための手段】
【０００９】
かかる課題を解決するため本発明の凹半印刷機のワイピング装置においては、  回転可能に支持され凹版胴の凹版に当接して当該凹版の余剰インキを取り除くワイピングローラと、前記ワイピングローラの周面に先端が対接されるドクタブレードを有し、前記ワイピングローラに対して接近離反する方向へ機台に移動自在に支持されたブレード支持部材と、前記ドクターブレードの前記ワイピングローラに対する位置を調整する位置調整装置とを備えた凹版印刷機のワイピング装置において、前記ドクターブレードを保持し、前記ブレード支持部材に対して着脱可能に取り付けられるブレードホルダと、前記ブレード支持部材の位置を検出する検出装置とを備え、前記検出装置は、前記ブレード支持部材または前記機台の一方に設けられた被検出部と、前記ブレード支持部材または前記機台の他方に設けられ、前記被検出部の位置を検出するセンサを有するようにする。
【００１０】
また本発明において、前記検出装置の前記センサは、前記被検出部と当接する接触子を有して前記被検出部との間の距離を計測する接触型センサであるようにすることができる。
【００１１】
前記被検出部及び前記センサは、前記ドクターブレードの左右両側に設けられているようにすることができる。
【発明の効果】
【００１２】
本発明によれば、ブレード支持部材からブレードホルダが取り外されたとき、検出装置は機台側に取り付けられたままの状態であるため、被検出部とセンサとの相対的な位置関係が維持され、ドクターブレード交換後のドクターブレードのワイピングローラに対する接触圧の調整作業が大幅に減少して準備時間が減少するとともに、ブレード支持部材からブレードホルダを着脱させるだけでよいため作業者の負担が大幅に軽減され、効率的にドクターブレードを交換することができる。
また、本発明によれば、ドクターブレードの交換に際して、ブレード支持部材からブレードホルダを着脱させても、ブレード支持部材と機台に設けられた被検出部と接触型センサとは被検出部に接触子が当接した状態で機台側に設けられているため、ブレードホルダの着脱に際して接触型センサを破損させるということがない。
【図面の簡単な説明】
【００１３】
【図１】本発明に係る一実施の形態におけるドクターブレードユニットを備えたワイピング装置の構成を示す側面図である。
【図２】ワイピング装置の構成を示す上面図である。
【図３】ドクターブレードユニットの構成を示す側面図である。
【図４】ブレードホルダが取り外された状態を示す側面図である。
【発明を実施するための形態】
【００１４】
次に、本発明の一実施の形態について図面を参照して説明する。
【００１５】
（１）ワイピング装置の構成
図１に示すように凹版印刷機は、図示しないフレームに凹版胴２が図中矢印Ａ方向に回転可能に支持され、凹版胴２の周面には画線部分が凹状に形成された凹版２Ａが装着されている。この凹版印刷機にはワイピング装置１が設けられており、当該ワイピング装置１は、図示しない機台としてのワイピング装置用フレームに固定された機台としての液槽３と、当該液槽３に回転可能且つ軸方向に往復動可能に支持され凹版胴２の凹版２Ａに圧接されるワイピングローラ５と、液槽３に支持されワイピングローラ５から洗浄液としてのワイピング液を掻き取るためのドクターブレードユニット２０を有している。
【００１６】
ワイピングローラ５は、図示しない駆動モータにより図中矢印Ｂ方向へ回転駆動される。液層３には、ワイピングローラ５の周面と接触してインキを取り除くためのブラシ部材（図示せず）と、ワイピングローラ５の周面或いはブラシ部材にワイピング液を供給するスプレー装置（図示せず）とが設けられており、当該スプレー装置から供給されワイピングローラ５の周面のインキを溶解した後にブラシ部材で掻き落とされたワイピング液の廃液が液槽３に溜められる。
【００１７】
（２）ドクターブレードユニットの構成
続いて、ワイピング装置１におけるドクターブレードユニット２０の構成を図２及び図３を用いて説明する。液槽３の上方には、機台としてのスライドベース６がワイピングローラ５に対する近接離反方向へ移動自在に支持されており、当該スライドベース６にはベースプレート７が移動自在に取り付けられている。スライドベース６は、ワイピングローラ５の凹版胴２に対する着脱の際、当該ワイピングローラ５の着脱動作と連動しベースプレート７を伴って移動する。
【００１８】
液槽３の上面には、ワイピングローラ５の軸方向に沿って延びる板状のベースプレート７が移動自在に支持されており、ベースプレート７の長手方向両端部には、スライドベース６に支持されたドクターブレード着脱手段としての油圧シリンダ５１Ｌ、５１Ｒのロッドが連結されている。そして、ベースプレート７の上面には、当該ベースプレート７と同じ長さを有する断面矩形状の板状でなるブレード支持部材３１が移動自在に支持されており、ブレード支持部材３１は位置調整装置としての接触圧調整装置５２Ｌ、５２Ｒを介して、ベースプレート７に対して移動自在に連結されている。
【００１９】
すなわち、ブレード支持部材３１の上面には２つのブラケット５２ＬＢ、５２ＲＢが固定され、これらブラケット５２ＬＢ、５２ＲＢには軸方向への移動を規制されたハンドル５２ＬＨ、５２ＲＨが回動可能に支持されており、ハンドル５２ＬＨ、５２ＲＨの先端に形成されたねじ部（図示せず）がベースプレート７の後端面に設けられた２つのねじ孔（図示せず）にそれぞれ螺合されている。尚、ブラケット５２ＬＢ、５２ＲＢには、当該ブラケット５２ＬＢ、５２ＲＢの側方に螺合され、その先端をハンドル５２ＬＨ、５２ＲＨの軸部に圧接または離反させることにより当該ハンドル５２ＬＨ、５２ＲＨを回転不能または回転可能にさせるロックハンドルロック５２ＬＣ、５２ＲＣが設けられている。
【００２０】
ブレード支持部材３１の上には、当該ブレード支持部材３１と同じ長さの板状でなるブレードホルダ２１が重ねられ、当該ブレードホルダ２１の上面から４個の固定ネジ３２により当該ブレード支持部材３１に固定されている。
【００２１】
ブレードホルダ２１の先端側の段部（図３）には、当該ブレードホルダ２１と同じ長さを有し、バネ鋼等でなるドクターブレード２３が、当該ドクターブレード２３と同じ長さを有するブレード止部材３３によって挟持された状態で、８個の止めネジ３４により固定されている。また、ブレード支持部材３１の先端には、液槽３へ向けて延び、ドクターブレード２３で掻きとったワイピング液の廃液を液槽３内へ案内するカバー４８が取り付けられている。
【００２２】
ここで、機台側のスライドベース６の左右両端部には取付台４３Ｌ、４３Ｒが固定され、これら取付台４３Ｌ、４３Ｒにはセンサとしてのポテンショメータ４１Ｌ、４１Ｒがそれぞれ取り付けられている。ポテンショメータ４１Ｌ、４１Ｒは、ワイピングローラ５に対する近接離反方向へ進退する接触子Ｓを有しており、この接触子Ｓがポテンショメータ４１Ｌ、４１Ｒの内部に設けられた付勢手段により突出方向へ付勢されている。なお、ポテンショメータ４１Ｌ、４１Ｒには、当該ポテンショメータ４１Ｌ、４１Ｒ全体を覆うカバー４９が取り付けられている。
【００２３】
一方、ブレード支持部材３１の左右両側には腕部３１Ｌ、３１Ｒが外方へ突出しており、これら腕部３１Ｌ、３１Ｒには被検出部としての略直方体形状でなるドグ４２Ｌ、４２Ｒが固定されている。そして、このドグ４２Ｌ、４２Ｒには、それぞれポテンショメータ４１Ｌ、４１Ｒの接触子Ｓが当接されている。ここで、ポテンショメータ４１Ｌ、４１Ｒおよびドグ４２Ｌ、４２Ｒにより、ブレード支持部材３１の位置を検出する検出装置が構成されている。
【００２４】
またポテンショメータ４１Ｌ、４１Ｒは、マイクロコンピュータ構成でなる制御装置５３に接続され、当該制御装置５３にはモニター５４が接続されている。
【００２５】
（３）作用および効果
このように構成された凹版印刷機のワイピング装置１の動作を説明する。凹版胴２の凹版２Ａの表面には図示しないインキ装置からインキが転写され、ワイピングローラ５により余剰インキが除去されたのち、当該凹版胴２を介してシートやウェブに凹版印刷を施す。
【００２６】
ワイピングローラ５は凹版胴２の凹版２Ａから除去した余剰インキが周面に付着した状態で、図示しないスプレー装置からワイピング液が吹き付けられるとともにブラシ部材が押圧される。これにより、ワイピングローラ５の周面上に付着した余剰インキは、ワイピング液により溶解されブラシ部材により掻き落とされて液槽３内に溜められる。
【００２７】
その後、ワイピングローラ５は、ドクターブレード２３によりその周面に付着しているワイピング液が掻きとられた後、凹版胴２の凹版２Ａの周面の余剰インキを除去する。なお、ドクターブレード２３により掻き取られたワイピング液の廃液はカバー４８により液槽３内へ案内される。
【００２８】
ドクターブレード２３は、印刷を行う際、その先端がワイピングローラ５に接触され、印刷を行わない際には、その先端がワイピングローラ５から離反される。すなわち、印刷時には、油圧シリンダ５１Ｌ、５１Ｒのロッドを突出させることにより、ベースプレート７をワイピングローラ５に近接する方向へ移動させる。ベースプレート７の移動により当該ベースプレート７に支持されているブレード支持部材３１及びブレードホルダ２１が一体となってワイピングローラ５に近接する方向へ移動してドクターブレード２３の先端がワイピングローラ５の周面に接触する。
【００２９】
一方、印刷終了時には、油圧シリンダ５１Ｌ及び５１Ｒのロッドを退縮させることにより、ベースプレート７をワイピングローラ５から離反する方向へ移動させ、ドクターブレード２３の先端をワイピングローラ５の周面から離間させる。
【００３０】
また、ドクターブレード２３のワイピングローラ５の周面に対する接触圧を調整する場合には、接触圧調整装置５２Ｌ、５２Ｒを操作して、ベースプレート７に対してブレード支持部材３１をワイピングローラ５の近接離反方向へ移動させる。
【００３１】
すなわち、接触圧調整装置５２Ｌ、５２Ｒのロックハンドル５２ＬＣ、５２ＲＣを操作して、ハンドル５２ＬＨ、５２ＲＨを回動不能な状態から回動可能な状態にしたのち、これらハンドル５２ＬＨ、５２ＲＨを作業者が回動させると、ベースプレート７に螺合されたハンドル５２ＬＨ、５２ＲＨはねじの作用により軸方向へ移動し、この移動に伴ってブラケット５２ＬＢ、５２ＲＢが移動するため、ベースプレート７に対してブレード支持部材３１がワイピングローラ５の近接離反方向へ移動して、ドクターブレード２３のワイピングローラ５の周面に対する接触圧が調整されるのである。接触圧調整が完了したら、作業者は再びロックハンドル５２ＬＣ、５２ＲＣを操作して、ハンドル５２ＬＨ、５２ＲＨを回動不能状態にする。
【００３２】
接触圧調整を行うにあたり、作業者はモニター５４に表示されたドクターブレード２３とワイピングローラ５との接触状態を確認しながら作業を行なうことができる。すなわち、ハンドル５２ＬＨ、５２ＲＨによるブレード支持部材３１に移動に伴ってドグ４２Ｌ、４２Ｒがポテンショメータ４１Ｌ、４１Ｒに対する遠近方向へ移動する。これらドグ４２Ｌ、４２Ｒの移動により、ポテンショメータ４１Ｌ、４１Ｒの各接触子Ｓが突出又は退縮し、これによりポテンショメータ４１Ｌ、４１Ｒがドクターブレード２３の位置を検出する。
【００３３】
制御装置５３は、ポテンショメータ４１Ｌ、４１Ｒにより検出されたドクターブレード２３の位置に基づいて当該ドクターブレード２３のワイピングローラ５に対する位置を算出し、モニター５４にその結果を表示させる。例えば、ドクターブレード２３とワイピングローラ５とが接触せずに離れている場合はプラス数値で結果がモニター５４に表示され、ドクターブレード２３とワイピングローラ５とが当接している場合はマイナス数値で結果がモニター５４に表示される。モニター５４には、ポテンショメータ４１Ｌ、４１Ｒのそれぞれに対応した結果が表示される。
【００３４】
なお、ドクターブレードユニット２０では、左右両側に接触圧調整装置５２Ｌ、５２Ｒが設けられたことにより、ハンドル５２ＬＨ、５２ＲＨによりドクターブレード２３とワイピングローラ５との接触状態を左右両側それぞれ個別に調整することができる。
【００３５】
また、接触圧調整装置５２Ｌ、５２Ｒにより調整されたドクターブレード２３とワイピングローラ５との接触圧は、油圧シリンダ５１Ｌ、５１Ｒによってドクターブレード２３とワイピングローラ５とを接触及び離間させても変化することはないのである。すなわち、油圧シリンダ５１Ｌ、５１Ｒによってベースプレート７とブレード支持部材３１とが一体的に移動するため、接触圧調整装置５２Ｌ、５２Ｒにより調整されるベースプレート７に対するブレード支持部材３１の位置は変わることがなく、接触圧調整後にドクターブレード２３をワイピングローラ５から離間させて再度接触させたときでも接触圧は変わらないのである。
【００３６】
ところでドクターブレードユニット２０では、ドクターブレード２３を交換する必要が生じたとき、４個の固定ネジ３２を緩めてブレード支持部材３１からブレードホルダ２１を取り外し、８個の止めネジ３４を緩めて当該ブレードホルダ２１のブレード止部材３３を取り外した後に、ドクターブレード２３を交換する。
【００３７】
このときドクターブレードユニット２０では、ブレード支持部材３１からブレードホルダ２１を取り外したとき、ドグ４２Ｌ、４２Ｒが当該ブレード支持部材３１と一体化されているため、図４に示されるように、ポテンショメータ４１Ｌ、４１Ｒの接触子Ｓとドグ４２Ｌ、４２Ｒとの当接状態が維持される。換言すると、ブレードホルダ２１を取り外しても、ドク４２Ｌ、４２Ｒはブレード支持部材３１に固定されてその場所のまま置き去りにされることになる。
【００３８】
当然、新しいドクターブレード２３に交換されたブレードホルダ２１をブレード支持部材３１に取り付ける際においても、ドグ４２Ｌ、４２Ｒとポテンショメータ４１Ｌ、４１Ｒの接触子Ｓとの当接状態が維持されたままとなる。
【００３９】
仮に、ドクターブレードユニット２０において、ドクターブレード２３の交換の際に、ブレード支持部材３１或いはベースプレート７をスライドベース６に対して取付け及び取外しする構成である場合は、取外しの時にドグ４２Ｌ、４２Ｒもブレード支持部材３１と共に取り外されてしまい、取付ける時にドグ４２Ｌ、４２Ｒとポテンショメータ４１Ｌ、４１Ｒの接触子Ｓとの当接状態を新たに形成しなければならない。
【００４０】
この場合、ドグ４２Ｌ、４２Ｒが液槽３側から取り外されてしまうと、当該ドグ４２Ｌ、４２Ｒが存在しない分だけ、ポテンショメータ４１Ｌ、４１Ｒの接触子Ｓが付勢力により突出してしまい、改めてドグ４２Ｌ、４２Ｒをベースプレート７に取り付ける際にポテンショメータ４１Ｌ、４１Ｒの接触子Ｓと衝突して破損させる恐れがある。しかしながら本発明におけるワイピング装置１のドクターブレードユニット２０では、ドグ４２Ｌ、４２Ｒとポテンショメータ４１Ｌ、４１Ｒの接触子Ｓとの当接状態が維持されたままなので、そのような破損は発生しない。
【００４１】
（４）他の実施の形態
なお、上述した実施の形態においては、ドクターブレード２３の左右両側に設けられた回転式ハンドル５２Ｌ、５２Ｒを介してブレードホルダ２１全体をワイピングローラ５へ近づけたり、離したりすることにより、ドクターブレード２３とワイピングローラ５の周面との接触圧を調整するようにした場合について述べたが、本発明はこれに限らず、ブレードホルダ２１のほぼ中央に１個の回転式ハンドルを設け、これを介してブレードホルダ２１全体をワイピングローラ５へ近づけたり、離したりするようにしても良い。
【００４２】
また、上述した実施の形態においては、ドクターブレード２３の左右両側に、ドグ４２Ｌ、４２Ｒと、ポテンショメータ４１Ｌ、４１Ｒとを設けるようにした場合について述べたが、本発明はこれに限らず、ブレードホルダ２１のほぼ中央に１個の回転式ハンドルだけが設けられたとき等は、左右の片側どちらかだけにドグとポテンショメータとが設けられるようにしてもよい。
【００４３】
さらに、上述した実施の形態においては、ドクターブレード２３の左右両側に回転式ハンドル５２Ｌ、５２Ｒが設けられるようにした場合について述べたが、本発明はこれに限らず、ブレードホルダ２１全体をワイピングローラ５へ近づけたり、離したりすることができれば、プッシュ式ハンドル等のその他の手段を用いるようにしてもよい。
【００４４】
さらに、上述した実施の形態においては、機台側の取付台４３Ｌ、４３Ｒにセンサとしてのポテンショメータ４１Ｌ、４１Ｒがそれぞれ設けられるとともに、ブレード支持部材３１の左右両側に突出した腕部３１Ｌ、３１Ｒに被検出部としてのドグ４２Ｌ、４２Ｒが一体に設けられるようにした場合について述べたが、本発明はこれに限らず、機台側の取付台４３Ｌ、４３Ｒにドグ４２Ｌ、４２Ｒがそれぞれ設けられるとともに、ブレード支持部材３１の左右両側に突出した腕部３１Ｌ、３１Ｒにポテンショメータ４１Ｌ、４１Ｒが設けられるようにしてもよい。
【００４５】
さらに、上述した実施の形態においては、ポテンショメータ４１Ｌ、４１Ｒの接触子Ｓとドグ４２Ｌ、４２Ｒとが接触関係にある接触型センサを用いる場合について述べたが、本発明はこれに限らず、光電式距離測定センサを用い、ブレード支持部材３１または機台の一方に光電センサが設けられ、ブレード支持部材３１または機台の他方に反射板が設けられるようにしても良い。
【符号の説明】
【００４６】
１…ワイピング装置、２…凹版胴、３…液槽、５…ワイピングローラ、７…ベースプレート、２０…ドクターブレードユニット、２１…ブレードホルダ、２３…ドクターブレード、３１…ブレード支持部材、３２…固定ネジ、３３…ブレード止部材、３４…止めネジ３４、４１Ｌ、４１Ｒ…ポテンショメータ、４２Ｌ、４２Ｒ…ドグ、４３Ｌ、４３Ｒ…取付台、５１Ｌ、５１Ｒ…油圧シリンダ、５２Ｌ、５２Ｒ…回転式ハンドル、５３…制御装置、５４…モニター。
【図１】
2013063647.tif 000003
【図２】
2013063647.tif 000004
【図３】
2013063647.tif 000005
【図４】
2013063647.tif 000006